(57)【要約】ＤＶＤなどの記録媒体に記録された情報を所定の規格に準拠したオーディオデータとして出力するデジタルオーディオ装置について、当該デジタルオーディオ装置に接続された機器側においてオーディオトラック境界の識別が可能となるようなオーディオデータを生成する。デジタルオーディオ装置（１０Ａ）は、記録媒体（２０）から読み出された情報からオーディオトラック境界を検出するトラック境界検出部（１４）と、検出されたオーディオトラック境界を示すトラック境界データを生成するトラック境界データ生成部（１５）と、生成されたトラック境界データに所定の規格に準拠した制御コードを付加して補助情報を生成する補助情報生成部（１６）とを備えている。オーディオデータ再生部（１３Ａ）は、記録媒体（２０）から再生したオーディオデータに当該補助情報を重畳して出力する。
2005017895.tif 000002
【特許請求の範囲】
【請求項１】
記録媒体に記録された情報を所定の規格に準拠したオーディオデータとして出力するデジタルオーディオ装置であって、
前記記録媒体に記録された情報に基づいて、オーディオトラック境界を検出するトラック境界検出部と、
前記トラック境界検出部によって検出されたオーディオトラック境界を示すトラック境界データを生成するトラック境界データ生成部と、
前記トラック境界データ生成部によって生成されたトラック境界データに、前記所定の規格で規定された制御コードを付加し、補助情報を生成する補助情報生成部とを備え、
前記記録媒体から得られたオーディオデータに、前記補助情報生成部によって生成された補助情報を重畳し、当該オーディオデータを出力する
ことを特徴とするデジタルオーディオ装置。
【請求項２】
請求の範囲１項に記載のデジタルオーディオ装置において、
前記トラック境界データ生成部および補助情報生成部を有し、前記記録媒体に記録された情報から、前記所定の規格に準拠したオーディオデータを再生するオーディオデータ再生部を備え、
前記トラック境界検出部は、前記オーディオトラック境界を検出したとき、所定の信号を出力するものであり、
前記オーディオデータ再生部は、前記トラック境界検出部から前記所定の信号を受けたとき、前記補助情報を生成し、再生したオーディオデータに当該補助情報を重畳する
ことを特徴とするデジタルオーディオ装置。
【請求項３】
請求の範囲１項に記載のデジタルオーディオ装置において、
前記補助情報生成部を有し、前記記録媒体に記録された情報から、前記所定の規格に準拠したオーディオデータを再生するオーディオデータ再生部を備え、
前記オーディオデータ再生部は、前記トラック境界データ生成部によって生成された前記トラック境界データを受けたとき、前記補助情報を生成し、再生したオーディオデータに当該補助情報を重畳する
ことを特徴とするデジタルオーディオ装置。
【請求項４】
請求の範囲１項に記載のデジタルオーディオ装置において、
前記記録媒体に記録された情報から、前記所定の規格に準拠したオーディオデータを再生するオーディオデータ再生部を備え、
前記オーディオデータ再生部は、前記補助情報生成部によって生成された前記補助情報を受けて、再生したオーディオデータに当該補助情報を重畳する
ことを特徴とするデジタルオーディオ装置。
【請求項５】
記録媒体に記録された情報を所定の規格に準拠したオーディオデータとして出力するデジタルオーディオ装置であって、
前記記録媒体に記録された情報から、オーディオトラック境界を示す、前記所定の規格に準拠した補助情報を生成し、前記記録媒体に記録された情報から再生したオーディオデータに前記補助情報を重畳する
ことを特徴とするデジタルオーディオ装置。
【請求項６】
記録媒体に記録された情報を所定の規格に準拠したオーディオデータとして出力するオーディオデータ出力方法であって、
前記記録媒体に記録された情報に基づいて、オーディオトラック境界を検出するトラック境界検出ステップと、
前記トラック境界検出ステップによって検出されたオーディオトラック境界を示す、前記所定の規格に準拠した補助情報を生成する補助情報生成ステップと、
前記記録媒体に記録された情報から、前記所定の規格に準拠したオーディオデータを再生するオーディオデータ再生ステップと、
前記オーディオデータ再生ステップによって再生されたオーディオデータに、前記補助情報生成ステップによって生成された補助情報を重畳する補助情報重畳ステップとを備え、
前記補助情報重畳ステップによって処理されたオーディオデータを出力する
ことを特徴とするオーディオデータ出力方法。
【発明の詳細な説明】
【技術分野】  本発明は、デジタルオーディオデータを出力するデジタルオーディオ装置およびそのオーディオデータの出力方法に関するものであり、特に、ＣＤ（コンパクト・ディスク）以外のメディア再生におけるＩＥＣ６０９５８規格などに規格されたデジタル出力に関するものである。
【背景技術】  今日、オーディオデータのストリーム出力規格として、ＩＥＣ６０９５８やＩＥＣ６１９３７が主流となっている。図５は、ＩＥＣ６０９５８規格で定義されたサブフレームのデータ構造を示す。ＩＥＣ６０９５８規格ではユーザーデータ領域（図５において“Ｕ”で示したユーザービット）が確保されており、ユーザーがオーディーデータ以外の情報を付加することができるようになっている。ＩＥＣ６１９３７規格についてもこれと同様である。
一方、オーディオデータの記録媒体として一般的であるＣＤには、オーディオデータ以外に、補助情報としてサブコード（Ｑデータ）が記録されている。図６は、Ｑデータのデータ構造を示す。Ｑデータは、たとえば、図６に示したような、オーディオトラック境界を示すデータ（曲番号やインデックスなど）として用いられる。ＭＤ（ミニ・ディスク）についてもこれと同様である。
ＣＤに記録されたオーディオデータをデジタル出力する場合、ＱデータをＩＥＣ６０９５８規格によるデジタル出力に重畳することで、当該デジタル出力を受ける機器においてオーディオトラック境界を識別することができる、すなわち、曲間を認識することができる。しかし、ＣＤ以外の記録媒体、たとえば、ＤＶＤ（デジタル・バーサタイル・ディスク）にはＱデータが記録されていない。このため、ＩＥＣ６０９５８規格のデジタル出力を行う従来のデジタルオーディオ装置は、図７のフローチャートに示すように、再生メディアの判定を行い（ステップＳ１１）、ＣＤであれば、ＩＥＣ６０９５８規格のサブフレームのユーザービットにＱデータを重畳する処理を行う（ステップＳ１２）一方、ＣＤ以外であれば、ステップＳ１２の処理をスキップする。
このように、従来のデジタルオーディオ装置では、ＣＤ以外のメディアに記録されたオーディオデータをデジタル出力する際、ユーザービットに有意なＱデータを出力することができない。したがって、オーディオデータを受ける機器側では、オーディオトラック境界を識別することができないこととなる。
同様の問題は、オーディオデータをアナログ出力する場合にも生じる。アナログオーディオ信号にはＱデータを重畳することができないため、アナログオーディオ信号を受ける機器側では、オーディオトラック境界を識別することができない。これを解決する技術として、アナログオーディオ信号とは別にデジタルオーディオインタフェース信号を出力し、アナログオーディオ信号をＡ／Ｄ変換して得たオーディオデータに、デジタルオーディオインタフェース信号によって、曲頭を示すスタートＩＤを付加するといったものがある（たとえば、特許文献１参照）。
【特許文献１】特開平７−３０２４６１号公報
【発明の開示】
【発明が解決しようとする課題】  上述したように、ＣＤやＭＤ以外のメディアにはＱデータが記録されていないため、従来のデジタルオーディオ装置では、オーディオデータのデジタル出力に有意なＱデータを含ませることができない。このため、複数のオーディオトラックを連続して出力する場合、当該オーディオデータを受ける機器側では、オーディオトラック境界を識別することができずに、全オーディオデータが一つのトラックに記録されてしまう。
また、上述したスタートＩＤを付加する方法によると確かにオーディオトラック境界を識別できるようになるが、これはＩＥＣ６０９５８やＩＥＣ６１９３７などの規格に対応していない。汎用性を考慮すると、所定の規格に準拠したインタフェースを採用することが好ましい。
上記問題に鑑み、本発明は、ＤＶＤなどの記録媒体からオーディオデータを再生し、所定の規格に準拠したデジタル出力を行うデジタルオーディオ装置について、有意なＱデータが重畳されたオーディオデータの出力を可能にすることを課題とする。また、本発明は、そのようなオーディオデータ出力方法を提供することを課題とする。
【課題を解決するための手段】  上記課題を解決するために本発明が講じた手段は、記録媒体に記録された情報を所定の規格に準拠したオーディオデータとして出力するデジタルオーディオ装置として、前記記録媒体に記録された情報に基づいて、オーディオトラック境界を検出するトラック境界検出部と、前記トラック境界検出部によって検出されたオーディオトラック境界を示すトラック境界データを生成するトラック境界データ生成部と、前記トラック境界データ生成部によって生成されたトラック境界データに、前記所定の規格で規定された制御コードを付加し、補助情報を生成する補助情報生成部とを備え、前記記録媒体から得られたオーディオデータに、前記補助情報生成部によって生成された補助情報を重畳し、当該オーディオデータを出力するものとする。
これによると、記録媒体に、当該デジタルオーディオ装置からの出力に係る所定の規格に準拠した、オーディオトラック境界を示す補助情報が存在しない場合であっても、トラック境界検出部によって、記録媒体に記録された情報に基づいてオーディオトラック境界が検出され、トラック境界データ生成部によってトラック境界データが生成され、補助情報生成部によって当該所定の規格に準拠した補助情報が生成される。そして、当該補助情報は、再生されたオーディオデータに重畳され、当該補助情報を含むオーディオデータが出力される。
好ましくは、上記デジタルオーディオ装置は、前記トラック境界データ生成部および補助情報生成部を有し、前記記録媒体に記録された情報から、前記所定の規格に準拠したオーディオデータを再生するオーディオデータ再生部を備えているものとする。そして、前記トラック境界検出部は、前記オーディオトラック境界を検出したとき、所定の信号を出力するものであり、前記オーディオデータ再生部は、前記トラック境界検出部から前記所定の信号を受けたとき、前記補助情報を生成し、再生したオーディオデータに当該補助情報を重畳するものとする。
また、好ましくは、上記デジタルオーディオ装置は、前記補助情報生成部を有し、前記記録媒体に記録された情報から、前記所定の規格に準拠したオーディオデータを再生するオーディオデータ再生部を備えているものとする。そして、前記オーディオデータ再生部は、前記トラック境界データ生成部によって生成された前記トラック境界データを受けたとき、前記補助情報を生成し、再生したオーディオデータに当該補助情報を重畳するものとする。
また、好ましくは、上記デジタルオーディオ装置は、前記記録媒体に記録された情報から、前記所定の規格に準拠したオーディオデータを再生するオーディオデータ再生部を備えているものとする。そして、前記オーディオデータ再生部は、前記補助情報生成部によって生成された前記補助情報を受けて、再生したオーディオデータに当該補助情報を重畳するものとする。
一方、本発明が講じた手段は、記録媒体に記録された情報を所定の規格に準拠したオーディオデータとして出力するオーディオデータ出力方法として、前記記録媒体に記録された情報に基づいて、オーディオトラック境界を検出するトラック境界検出ステップと、前記トラック境界検出ステップによって検出されたオーディオトラック境界を示す、前記所定の規格に準拠した補助情報を生成する補助情報生成ステップと、前記記録媒体に記録された情報から、前記所定の規格に準拠したオーディオデータを再生するオーディオデータ再生ステップと、前記オーディオデータ再生ステップによって再生されたオーディオデータに、前記補助情報生成ステップによって生成された補助情報を重畳する補助情報重畳ステップとを備え、前記補助情報重畳ステップによって処理されたオーディオデータを出力するものとする。
これによると、記録媒体に、当該デジタルオーディオ装置からの出力に係る所定の規格に準拠した、オーディオトラック境界を示す補助情報が存在しない場合であっても、当該記録媒体に記録された情報に基づいて、当該所定の規格に準拠した補助情報が生成される。そして、当該補助情報は、再生されたオーディオデータに重畳され、当該補助情報を含むオーディオデータが出力される。
【発明の効果】  以上のように本発明によると、ＤＶＤなどの記録媒体に記録されたオーディオデータをＩＥＣ６０９５８規格などに準拠してデジタル出力する場合に、オーディオトラック境界を示す補助情報を含むオーディオデータが出力される。これにより、本発明に係るデジタルオーディオ装置から出力されたオーディオデータを受ける機器側において、オーディオトラック境界の識別が可能となる。
【図面の簡単な説明】  図１は、本発明の第１の実施形態に係るデジタルオーディオ装置の構成図である。
図２は、本発明の第２の実施形態に係るデジタルオーディオ装置の構成図である。
図３は、本発明の第３の実施形態に係るデジタルオーディオ装置の構成図である。
図４は、本発明に係るデジタルオーディオ装置の処理を示すフローチャートである。
図５は、ＩＥＣ６０９５８規格で定義されたサブフレームのデータ構造を示す図である。
図６は、Ｑデータのデータ構造を示す図である。
図７は、従来のデジタルオーディオ装置の処理を示すフローチャートである。
【発明を実施するための最良の形態】  以下、本発明の実施の形態について、図面を参照しながら説明する。なお、図面中の主な符号は次のとおりである。
１０Ａ，１０Ｂ，１０Ｃ  デジタルオーディオ装置
１３Ａ，１３Ｂ，１３Ｃ  オーディオデータ再生部
１４  トラック境界検出部
１５  トラック境界データ生成部
１６  補助情報生成部
（第１の実施形態）
図１は、本発明の第１の実施形態に係るデジタルオーディオ装置の構成を示す。本実施形態に係るデジタルオーディオ装置１０Ａは、たとえばＤＶＤなどの記録媒体２０からデータを読み出すデータ読み出し部１１と、デジタルオーディオ装置１０Ａの動作を制御する制御部１２Ａと、記録媒体２０から読み出されたデータからオーディオデータを再生するオーディオデータ再生部１３Ａとを備え、ＩＥＣ６０９５８規格に準拠したデジタルオーディオデータ出力を行う。
制御部１２Ａは、トラック境界検出部１４と、トラック境界データ生成部１５と、補助情報生成部１６とを備えている。
トラック境界検出部１４は、データ読み出し部１１によって記録媒体２０に記録されたデータからオーディオトラック境界を検出する。たとえば、ＤＶＤからデータを読み出す場合、メディアに記録されている管理情報からチャプタ境界を検出することで、オーディオトラック境界の検出が可能となる。なお、トラック境界検出部１４による処理は、トラック境界検出ステップに相当する。
トラック境界データ生成部１５は、トラック境界検出部１４によってオーディオトラック境界が検出されると、当該オーディオトラック境界を示すトラック境界データを生成する。具体的には、トラック境界データ生成部１５は、図６に示したＱデータのうち、曲番号およびインデックス情報を生成する。すなわち、トラック境界データ生成部１５は、トラック境界検出部１４によるオーディオトラック境界の検出を受けて、これら情報を擬似的に生成する。曲番号は、オーディオトラック境界が検出されるたびに変数をインクリメントすることで生成可能である。
補助情報生成部１６は、トラック境界データ生成部１５によって生成されたトラック境界データに、制御コードとしてＣＲＣ符号などを付加して、所定のデータ構造の補助情報を生成する。すなわち、補助情報生成部１６は、完全な形のＱデータを生成する。なお、トラック境界データ生成部１５および補助情報生成部１６による処理は、補助情報生成ステップに相当する。
そして、オーディオデータ再生部１３Ａは、データ読み出し部１１から、記録媒体２０から読み出されたデータを受けるとともに、補助情報生成部１６からＱデータを受けて、ＩＥＣ６０９５８規格に準拠したデジタルオーディオデータの出力を行う。具体的には、オーディオデータ再生部１３Ａは、データ読み出し部１１から受けたデータをデコードして図５に示したデータ構造のサブフレームを生成し（これは、オーディオデータ再生ステップに相当する。）、当該サブフレームにおけるユーザービットＵにＱデータを重畳して（これは、補助情報重畳ステップに相当する。）、デジタルオーディオデータの出力を行う。
以上、本実施形態によると、ＤＶＤなどの記録媒体２０に記録されたオーディオデータをＩＥＣ６０９５８規格に準拠してデジタル出力する場合に、当該デジタル出力に有意なＱデータを含ませることができる。これにより、本デジタルオーディオ装置１０Ａに接続された機器側において、オーディオトラック境界を識別することができるようになり、トラックごとに番号をふってオーディオデータを記録することが可能となる。
また、オーディオデータ再生部１３Ａは、従来のデジタルオーディオ装置が備えているオーディオデータ再生部と変わるところがないため、本発明を実施するに当たって、オーディオデータ再生部についてはハードウェア変更の必要がない。さらに、ハードウェアの変更なしにさまざまなデータ構造の補助情報に対応可能であり、変更容易性に優れている。
（第２の実施形態）
図２は、本発明の第２の実施形態に係るデジタルオーディオ装置の構成を示す。本実施形態に係るデジタルオーディオ装置１０Ｂは、第１の実施形態に係るデジタルオーディオ装置１０Ａの構成を一部変更した形態となっている。以下、デジタルオーディオ装置１０Ａと異なる点についてのみ説明する。
本実施形態に係る制御部１２Ｂは、上述したトラック境界検出部１４と、トラック境界データ生成部１５とを備えている。すなわち、制御部１２Ｂは、第１の実施形態に係る制御部１２Ａから補助情報生成部１６を省略した構成となっている。
一方、オーディオデータ再生部１３Ｂは、第１の実施形態に係るオーディオデータ再生部１３Ａと同様に、データ読み出し部１１から受けたデータをデコードしてオーディオデータを再生する機能を有する。すなわち、オーディオデータ再生部１３Ｂは、元来、制御コードを生成する機能を備えている。本実施形態に係るオーディオデータ再生部１３Ｂは、当該機能を補助情報生成部１６として有する。
以上、本実施形態によると、制御部１２Ｂとオーディオデータ再生部１３Ｂとで、処理負荷を分散することができる。また、オーディオデータ再生部１３Ｂのハードウェアを変更することなしに、さまざまなデータ構造の補助情報に対応可能であり、変更容易性に優れている。
（第３の実施形態）
図３は、本発明の第３の実施形態に係るデジタルオーディオ装置の構成を示す。本実施形態に係るデジタルオーディオ装置１０Ｃは、第１の実施形態に係るデジタルオーディオ装置１０Ａの構成を一部変更した形態となっている。以下、デジタルオーディオ装置１０Ａと異なる点についてのみ説明する。
本実施形態に係る制御部１２Ｃは、上述したトラック境界検出部１４のみを備えている。すなわち、制御部１２Ｃは、第１の実施形態に係る制御部１２Ａからトラック境界データ生成部１５および補助情報生成部１６を省略した構成となっている。そして、トラック境界データ生成部１５および補助情報生成部１６は、オーディオデータ再生部１３Ｃに備わっている。
上記構成のデジタルオーディオ装置１０Ｃにおいて、制御部１２Ｃにおけるトラック境界検出部１４は、オーディオトラック境界を検出したとき、所定の信号としてたとえばパルス信号を発する。そして、オーディオデータ再生部１３Ｃは、当該パルス信号を受けると、Ｑデータを生成し、オーディオデータに当該Ｑデータを重畳して出力する。
以上、本実施形態によると、制御部１２ＣにおいてＱデータを生成する必要がないため、制御部１２Ｃの処理負荷を軽減することができる。
以上説明した本発明に係るデジタルオーディオ装置による処理は、図４のフローチャートに示すようになる。すなわち、再生メディアの判定を行い（ステップＳ１１）、ＣＤであれば、ＩＥＣ６０９５８規格のサブフレームのユーザービットにＱデータを重畳する処理を行う（ステップＳ１２）。一方、ＣＤ以外であれば、再生メディアに記録されている情報から、オーディオトラック境界を示す補助情報としてＱデータを生成し（ステップＳ１３）、ＩＥＣ６０９５８規格で規定されたユーザーデータ領域に、当該生成したＱデータを重畳する（ステップＳ１４）。これにより、再生メディアの別に関係なく、有意なＱデータを含むオーディオデータが出力される。
なお、ＩＥＣ６０９５８規格によるデジタル出力を例に説明したが、本発明はこれに限定されるものではない。ＩＥＣ６１９３７規格あるいはそれ以外の規格についても、本発明により、上記と同様の効果を得ることができる。
産業上の利用の可能性
以上のように、本発明に係るデジタルオーディオ装置は、再生メディアの別に関係なく、所定の規格に準拠した有意なＱデータを含むデジタルオーディオデータを出力することができ、デジタルオーディオ出力が可能なＤＶＤプレーヤーやＤＶＤ−Ａｕｄｉｏに対応したオーディオコンポーネントなどとして有用である。
【図１】
2005017895.tif 000003
【図２】
2005017895.tif 000004
【図３】
2005017895.tif 000005
【図４】
2005017895.tif 000006
【図５】
2005017895.tif 000007
【図６】
2005017895.tif 000008
【図７】
2005017895.tif 000009
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
記録媒体に記録された情報を所定の規格に準拠したオーディオデータとして出力するデジタルオーディオ装置であって、
前記記録媒体に記録された情報に基づいて、オーディオトラック境界を検出するトラック境界検出部と、
前記トラック境界検出部によって検出されたオーディオトラック境界を示すトラック境界データを生成するトラック境界データ生成部と、
前記トラック境界データ生成部によって生成されたトラック境界データに、前記所定の規格で規定された制御コードを付加し、補助情報を生成する補助情報生成部とを備え、
前記記録媒体から得られたオーディオデータに、前記補助情報生成部によって生成された補助情報を重畳し、当該オーディオデータを出力する
ことを特徴とするデジタルオーディオ装置。
【請求項２】
請求項１に記載のデジタルオーディオ装置において、
前記トラック境界データ生成部および補助情報生成部を有し、前記記録媒体に記録された情報から、前記所定の規格に準拠したオーディオデータを再生するオーディオデータ再生部を備え、
前記トラック境界検出部は、前記オーディオトラック境界を検出したとき、所定の信号を出力するものであり、
前記オーディオデータ再生部は、前記トラック境界検出部から前記所定の信号を受けたとき、前記補助情報を生成し、再生したオーディオデータに当該補助情報を重畳する
ことを特徴とするデジタルオーディオ装置。
【請求項３】
請求項１に記載のデジタルオーディオ装置において、
前記補助情報生成部を有し、前記記録媒体に記録された情報から、前記所定の規格に準拠したオーディオデータを再生するオーディオデータ再生部を備え、
前記オーディオデータ再生部は、前記トラック境界データ生成部によって生成された前記トラック境界データを受けたとき、前記補助情報を生成し、再生したオーディオデータに当該補助情報を重畳する
ことを特徴とするデジタルオーディオ装置。
【請求項４】
請求項１に記載のデジタルオーディオ装置において、
前記記録媒体に記録された情報から、前記所定の規格に準拠したオーディオデータを再生するオーディオデータ再生部を備え、
前記オーディオデータ再生部は、前記補助情報生成部によって生成された前記補助情報を受けて、再生したオーディオデータに当該補助情報を重畳する
ことを特徴とするデジタルオーディオ装置。
【請求項５】
記録媒体に記録された情報を所定の規格に準拠したオーディオデータとして出力するデジタルオーディオ装置であって、
前記記録媒体に記録された情報から、オーディオトラック境界を示す、前記所定の規格に準拠した補助情報を生成し、前記記録媒体に記録された情報から再生したオーディオデータに前記補助情報を重畳する
ことを特徴とするデジタルオーディオ装置。
【請求項６】
記録媒体に記録された情報を所定の規格に準拠したオーディオデータとして出力するオーディオデータ出力方法であって、
前記記録媒体に記録された情報に基づいて、オーディオトラック境界を検出するトラック境界検出ステップと、
前記トラック境界検出ステップによって検出されたオーディオトラック境界を示す、前記所定の規格に準拠した補助情報を生成する補助情報生成ステップと、
前記記録媒体に記録された情報から、前記所定の規格に準拠したオーディオデータを再生するオーディオデータ再生ステップと、
前記オーディオデータ再生ステップによって再生されたオーディオデータに、前記補助情報生成ステップによって生成された補助情報を重畳する補助情報重畳ステップとを備え、
前記補助情報重畳ステップによって処理されたオーディオデータを出力する
ことを特徴とするオーディオデータ出力方法。
【手続補正２】
【補正対象書類名】明細書
【補正対象項目名】全文
【補正方法】変更
【補正の内容】
【発明の詳細な説明】
【技術分野】
【０００１】
本発明は、デジタルオーディオデータを出力するデジタルオーディオ装置およびそのオーディオデータの出力方法に関するものであり、特に、ＣＤ（コンパクト・ディスク）以外のメディア再生におけるＩＥＣ６０９５８規格などに規格されたデジタル出力に関するものである。
【背景技術】
【０００２】
今日、オーディオデータのストリーム出力規格として、ＩＥＣ６０９５８やＩＥＣ６１９３７が主流となっている。図５は、ＩＥＣ６０９５８規格で定義されたサブフレームのデータ構造を示す。ＩＥＣ６０９５８規格ではユーザーデータ領域（図５において“Ｕ”で示したユーザービット）が確保されており、ユーザーがオーディーデータ以外の情報を付加することができるようになっている。ＩＥＣ６１９３７規格についてもこれと同様である。
【０００３】
一方、オーディオデータの記録媒体として一般的であるＣＤには、オーディオデータ以外に、補助情報としてサブコード（Ｑデータ）が記録されている。図６は、Ｑデータのデータ構造を示す。Ｑデータは、たとえば、図６に示したような、オーディオトラック境界を示すデータ（曲番号やインデックスなど）として用いられる。ＭＤ（ミニ・ディスク）についてもこれと同様である。
【０００４】
ＣＤに記録されたオーディオデータをデジタル出力する場合、ＱデータをＩＥＣ６０９５８規格によるデジタル出力に重畳することで、当該デジタル出力を受ける機器においてオーディオトラック境界を識別することができる、すなわち、曲間を認識することができる。しかし、ＣＤ以外の記録媒体、たとえば、ＤＶＤ（デジタル・バーサタイル・ディスク）にはＱデータが記録されていない。このため、ＩＥＣ６０９５８規格のデジタル出力を行う従来のデジタルオーディオ装置は、図７のフローチャートに示すように、再生メディアの判定を行い（ステップＳ１１）、ＣＤであれば、ＩＥＣ６０９５８規格のサブフレームのユーザービットにＱデータを重畳する処理を行う（ステップＳ１２）一方、ＣＤ以外であれば、ステップＳ１２の処理をスキップする。
【０００５】
このように、従来のデジタルオーディオ装置では、ＣＤ以外のメディアに記録されたオーディオデータをデジタル出力する際、ユーザービットに有意なＱデータを出力することができない。したがって、オーディオデータを受ける機器側では、オーディオトラック境界を識別することができないこととなる。
【０００６】
同様の問題は、オーディオデータをアナログ出力する場合にも生じる。アナログオーディオ信号にはＱデータを重畳することができないため、アナログオーディオ信号を受ける機器側では、オーディオトラック境界を識別することができない。これを解決する技術として、アナログオーディオ信号とは別にデジタルオーディオインタフェース信号を出力し、アナログオーディオ信号をＡ／Ｄ変換して得たオーディオデータに、デジタルオーディオインタフェース信号によって、曲頭を示すスタートＩＤを付加するといったものがある（たとえば、特許文献１参照）。
【特許文献１】特開平７―３０２４６１号公報
【発明の開示】
【発明が解決しようとする課題】
【０００７】
上述したように、ＣＤやＭＤ以外のメディアにはＱデータが記録されていないため、従来のデジタルオーディオ装置では、オーディオデータのデジタル出力に有意なＱデータを含ませることができない。このため、複数のオーディオトラックを連続して出力する場合、当該オーディオデータを受ける機器側では、オーディオトラック境界を識別することができずに、全オーディオデータが一つのトラックに記録されてしまう。
【０００８】
また、上述したスタートＩＤを付加する方法によると確かにオーディオトラック境界を識別できるようになるが、これはＩＥＣ６０９５８やＩＥＣ６１９３７などの規格に対応していない。汎用性を考慮すると、所定の規格に準拠したインタフェースを採用することが好ましい。
【０００９】
上記問題に鑑み、本発明は、ＤＶＤなどの記録媒体からオーディオデータを再生し、所定の規格に準拠したデジタル出力を行うデジタルオーディオ装置について、有意なＱデータが重畳されたオーディオデータの出力を可能にすることを課題とする。また、本発明は、そのようなオーディオデータ出力方法を提供することを課題とする。
【課題を解決するための手段】
【００１０】
上記課題を解決するために本発明が講じた手段は、記録媒体に記録された情報を所定の規格に準拠したオーディオデータとして出力するデジタルオーディオ装置として、前記記録媒体に記録された情報に基づいて、オーディオトラック境界を検出するトラック境界検出部と、前記トラック境界検出部によって検出されたオーディオトラック境界を示すトラック境界データを生成するトラック境界データ生成部と、前記トラック境界データ生成部によって生成されたトラック境界データに、前記所定の規格で規定された制御コードを付加し、補助情報を生成する補助情報生成部とを備え、前記記録媒体から得られたオーディオデータに、前記補助情報生成部によって生成された補助情報を重畳し、当該オーディオデータを出力するものとする。
【００１１】
これによると、記録媒体に、当該デジタルオーディオ装置からの出力に係る所定の規格に準拠した、オーディオトラック境界を示す補助情報が存在しない場合であっても、トラック境界検出部によって、記録媒体に記録された情報に基づいてオーディオトラック境界が検出され、トラック境界データ生成部によってトラック境界データが生成され、補助情報生成部によって当該所定の規格に準拠した補助情報が生成される。そして、当該補助情報は、再生されたオーディオデータに重畳され、当該補助情報を含むオーディオデータが出力される。
【００１２】
好ましくは、上記デジタルオーディオ装置は、前記トラック境界データ生成部および補助情報生成部を有し、前記記録媒体に記録された情報から、前記所定の規格に準拠したオーディオデータを再生するオーディオデータ再生部を備えているものとする。そして、前記トラック境界検出部は、前記オーディオトラック境界を検出したとき、所定の信号を出力するものであり、前記オーディオデータ再生部は、前記トラック境界検出部から前記所定の信号を受けたとき、前記補助情報を生成し、再生したオーディオデータに当該補助情報を重畳するものとする。
【００１３】
また、好ましくは、上記デジタルオーディオ装置は、前記補助情報生成部を有し、前記記録媒体に記録された情報から、前記所定の規格に準拠したオーディオデータを再生するオーディオデータ再生部を備えているものとする。そして、前記オーディオデータ再生部は、前記トラック境界データ生成部によって生成された前記トラック境界データを受けたとき、前記補助情報を生成し、再生したオーディオデータに当該補助情報を重畳するものとする。
【００１４】
また、好ましくは、上記デジタルオーディオ装置は、前記記録媒体に記録された情報から、前記所定の規格に準拠したオーディオデータを再生するオーディオデータ再生部を備えているものとする。そして、前記オーディオデータ再生部は、前記補助情報生成部によって生成された前記補助情報を受けて、再生したオーディオデータに当該補助情報を重畳するものとする。
【００１５】
一方、本発明が講じた手段は、記録媒体に記録された情報を所定の規格に準拠したオーディオデータとして出力するオーディオデータ出力方法として、前記記録媒体に記録された情報に基づいて、オーディオトラック境界を検出するトラック境界検出ステップと、前記トラック境界検出ステップによって検出されたオーディオトラック境界を示す、前記所定の規格に準拠した補助情報を生成する補助情報生成ステップと、前記記録媒体に記録された情報から、前記所定の規格に準拠したオーディオデータを再生するオーディオデータ再生ステップと、前記オーディオデータ再生ステップによって再生されたオーディオデータに、前記補助情報生成ステップによって生成された補助情報を重畳する補助情報重畳ステップとを備え、前記補助情報重畳ステップによって処理されたオーディオデータを出力するものとする。
【００１６】
これによると、記録媒体に、当該デジタルオーディオ装置からの出力に係る所定の規格に準拠した、オーディオトラック境界を示す補助情報が存在しない場合であっても、当該記録媒体に記録された情報に基づいて、当該所定の規格に準拠した補助情報が生成される。そして、当該補助情報は、再生されたオーディオデータに重畳され、当該補助情報を含むオーディオデータが出力される。
【発明の効果】
【００１７】
以上のように本発明によると、ＤＶＤなどの記録媒体に記録されたオーディオデータをＩＥＣ６０９５８規格などに準拠してデジタル出力する場合に、オーディオトラック境界を示す補助情報を含むオーディオデータが出力される。これにより、本発明に係るデジタルオーディオ装置から出力されたオーディオデータを受ける機器側において、オーディオトラック境界の識別が可能となる。
【発明を実施するための最良の形態】
【００１８】
以下、本発明の実施の形態について、図面を参照しながら説明する。
【００１９】
（第１の実施形態）
図１は、本発明の第１の実施形態に係るデジタルオーディオ装置の構成を示す。本実施形態に係るデジタルオーディオ装置１０Ａは、たとえばＤＶＤなどの記録媒体２０からデータを読み出すデータ読み出し部１１と、デジタルオーディオ装置１０Ａの動作を制御する制御部１２Ａと、記録媒体２０から読み出されたデータからオーディオデータを再生するオーディオデータ再生部１３Ａとを備え、ＩＥＣ６０９５８規格に準拠したデジタルオーディオデータ出力を行う。
【００２０】
制御部１２Ａは、トラック境界検出部１４と、トラック境界データ生成部１５と、補助情報生成部１６とを備えている。
【００２１】
トラック境界検出部１４は、データ読み出し部１１によって記録媒体２０に記録されたデータからオーディオトラック境界を検出する。たとえば、ＤＶＤからデータを読み出す場合、メディアに記録されている管理情報からチャプタ境界を検出することで、オーディオトラック境界の検出が可能となる。なお、トラック境界検出部１４による処理は、トラック境界検出ステップに相当する。
【００２２】
トラック境界データ生成部１５は、トラック境界検出部１４によってオーディオトラック境界が検出されると、当該オーディオトラック境界を示すトラック境界データを生成する。具体的には、トラック境界データ生成部１５は、図６に示したＱデータのうち、曲番号およびインデックス情報を生成する。すなわち、トラック境界データ生成部１５は、トラック境界検出部１４によるオーディオトラック境界の検出を受けて、これら情報を擬似的に生成する。曲番号は、オーディオトラック境界が検出されるたびに変数をインクリメントすることで生成可能である。
【００２３】
補助情報生成部１６は、トラック境界データ生成部１５によって生成されたトラック境界データに、制御コードとしてＣＲＣ符号などを付加して、所定のデータ構造の補助情報を生成する。すなわち、補助情報生成部１６は、完全な形のＱデータを生成する。なお、トラック境界データ生成部１５および補助情報生成部１６による処理は、補助情報生成ステップに相当する。
【００２４】
そして、オーディオデータ再生部１３Ａは、データ読み出し部１１から、記録媒体２０から読み出されたデータを受けるとともに、補助情報生成部１６からＱデータを受けて、ＩＥＣ６０９５８規格に準拠したデジタルオーディオデータの出力を行う。具体的には、オーディオデータ再生部１３Ａは、データ読み出し部１１から受けたデータをデコードして図５に示したデータ構造のサブフレームを生成し（これは、オーディオデータ再生ステップに相当する。）、当該サブフレームにおけるユーザービットＵにＱデータを重畳して（これは、補助情報重畳ステップに相当する。）、デジタルオーディオデータの出力を行う。
【００２５】
以上、本実施形態によると、ＤＶＤなどの記録媒体２０に記録されたオーディオデータをＩＥＣ６０９５８規格に準拠してデジタル出力する場合に、当該デジタル出力に有意なＱデータを含ませることができる。これにより、本デジタルオーディオ装置１０Ａに接続された機器側において、オーディオトラック境界を識別することができるようになり、トラックごとに番号をふってオーディオデータを記録することが可能となる。
【００２６】
また、オーディオデータ再生部１３Ａは、従来のデジタルオーディオ装置が備えているオーディオデータ再生部と変わるところがないため、本発明を実施するに当たって、オーディオデータ再生部についてはハードウェア変更の必要がない。さらに、ハードウェアの変更なしにさまざまなデータ構造の補助情報に対応可能であり、変更容易性に優れている。
【００２７】
（第２の実施形態）
図２は、本発明の第２の実施形態に係るデジタルオーディオ装置の構成を示す。本実施形態に係るデジタルオーディオ装置１０Ｂは、第１の実施形態に係るデジタルオーディオ装置１０Ａの構成を一部変更した形態となっている。以下、デジタルオーディオ装置１０Ａと異なる点についてのみ説明する。
【００２８】
本実施形態に係る制御部１２Ｂは、上述したトラック境界検出部１４と、トラック境界データ生成部１５とを備えている。すなわち、制御部１２Ｂは、第１の実施形態に係る制御部１２Ａから補助情報生成部１６を省略した構成となっている。
【００２９】
一方、オーディオデータ再生部１３Ｂは、第１の実施形態に係るオーディオデータ再生部１３Ａと同様に、データ読み出し部１１から受けたデータをデコードしてオーディオデータを再生する機能を有する。すなわち、オーディオデータ再生部１３Ｂは、元来、制御コードを生成する機能を備えている。本実施形態に係るオーディオデータ再生部１３Ｂは、当該機能を補助情報生成部１６として有する。
【００３０】
以上、本実施形態によると、制御部１２Ｂとオーディオデータ再生部１３Ｂとで、処理負荷を分散することができる。また、オーディオデータ再生部１３Ｂのハードウェアを変更することなしに、さまざまなデータ構造の補助情報に対応可能であり、変更容易性に優れている。
【００３１】
（第３の実施形態）
図３は、本発明の第３の実施形態に係るデジタルオーディオ装置の構成を示す。本実施形態に係るデジタルオーディオ装置１０Ｃは、第１の実施形態に係るデジタルオーディオ装置１０Ａの構成を一部変更した形態となっている。以下、デジタルオーディオ装置１０Ａと異なる点についてのみ説明する。
【００３２】
本実施形態に係る制御部１２Ｃは、上述したトラック境界検出部１４のみを備えている。すなわち、制御部１２Ｃは、第１の実施形態に係る制御部１２Ａからトラック境界データ生成部１５および補助情報生成部１６を省略した構成となっている。そして、トラック境界データ生成部１５および補助情報生成部１６は、オーディオデータ再生部１３Ｃに備わっている。
【００３３】
上記構成のデジタルオーディオ装置１０Ｃにおいて、制御部１２Ｃにおけるトラック境界検出部１４は、オーディオトラック境界を検出したとき、所定の信号としてたとえばパルス信号を発する。そして、オーディオデータ再生部１３Ｃは、当該パルス信号を受けると、Ｑデータを生成し、オーディオデータに当該Ｑデータを重畳して出力する。
【００３４】
以上、本実施形態によると、制御部１２ＣにおいてＱデータを生成する必要がないため、制御部１２Ｃの処理負荷を軽減することができる。
【００３５】
以上説明した本発明に係るデジタルオーディオ装置による処理は、図４のフローチャートに示すようになる。すなわち、再生メディアの判定を行い（ステップＳ１１）、ＣＤであれば、ＩＥＣ６０９５８規格のサブフレームのユーザービットにＱデータを重畳する処理を行う（ステップＳ１２）。一方、ＣＤ以外であれば、再生メディアに記録されている情報から、オーディオトラック境界を示す補助情報としてＱデータを生成し（ステップＳ１３）、ＩＥＣ６０９５８規格で規定されたユーザーデータ領域に、当該生成したＱデータを重畳する（ステップＳ１４）。これにより、再生メディアの別に関係なく、有意なＱデータを含むオーディオデータが出力される。
【００３６】
なお、ＩＥＣ６０９５８規格によるデジタル出力を例に説明したが、本発明はこれに限定されるものではない。ＩＥＣ６１９３７規格あるいはそれ以外の規格についても、本発明により、上記と同様の効果を得ることができる。
【産業上の利用可能性】
【００３７】
以上のように、本発明に係るデジタルオーディオ装置は、再生メディアの別に関係なく、所定の規格に準拠した有意なＱデータを含むデジタルオーディオデータを出力することができ、デジタルオーディオ出力が可能なＤＶＤプレーヤーやＤＶＤ―Ａｕｄｉｏに対応したオーディオコンポーネントなどとして有用である。
【図面の簡単な説明】
【００３８】
【図１】本発明の第１の実施形態に係るデジタルオーディオ装置の構成図である。
【図２】本発明の第２の実施形態に係るデジタルオーディオ装置の構成図である。
【図３】本発明の第３の実施形態に係るデジタルオーディオ装置の構成図である。
【図４】本発明に係るデジタルオーディオ装置の処理を示すフローチャートである。
【図５】ＩＥＣ６０９５８規格で定義されたサブフレームのデータ構造を示す図である。
【図６】Ｑデータのデータ構造を示す図である。
【図７】従来のデジタルオーディオ装置の処理を示すフローチャートである。
【符号の説明】
【００３９】
１０Ａ，１０Ｂ，１０Ｃ  デジタルオーディオ装置
１３Ａ，１３Ｂ，１３Ｃ  オーディオデータ再生部
１４  トラック境界検出部
１５  トラック境界データ生成部
１６  補助情報生成部
【手続補正３】
【補正対象書類名】図面
【補正対象項目名】全図
【補正方法】変更
【補正の内容】
【図１】
2005017895.tif 000010
【図２】
2005017895.tif 000011
【図３】
2005017895.tif 000012
【図４】
2005017895.tif 000013
【図５】
2005017895.tif 000014
【図６】
2005017895.tif 000015
【図７】
2005017895.tif 000016
【国際調査報告】
2005017895.tif 000017
2005017895.tif 000018